(57)【特許請求の範囲】
【請求項１】
ケースと、このケースに装着された透明板と、この透明板の表面のライン状の画像読み取り領域に光を照射する光源と、上記画像読み取り領域に配置された原稿から反射してくる光を列状に配された複数の受光素子上に集束させて上記原稿の画像を結像させるための複数の結像用レンズを有するレンズアレイとを具備しており、かつこのレンズアレイは、上記ケース内に設けられている溝部に収容されて上記透明板に対向している、画像読み取り装置であって、
上記透明板の裏面には、上記レンズアレイを上記溝部の底部方向に押圧可能に上記レンズアレイに当接する凸状部が形成されていることを特徴とする、画像読み取り装置。
【請求項２】
上記レンズアレイは、直線状に延びるホルダに上記複数の結像用レンズが列状に並べられて保持された構成を有しているとともに、上記凸状部は、上記透明板の長手方向に直線状に延びて形成されており、かつ上記凸状部の先端の全長域は、上記ホルダの一端面の長手方向に延びる側縁部に当接している、請求項１に記載の画像読み取り装置。
【請求項３】
上記ケースには、上記透明板が嵌入する開口部が形成されているとともに、
上記透明板と上記開口部の周壁部とには、上記透明板が上記レンズアレイから離反する方向へ移動することを規制するように上記透明板を上記ケースに掛止させる１組または複数組の係合手段が設けられている、請求項１または２に記載の画像読み取り装置。
【請求項４】
上記透明板は、合成樹脂製である、請求項１ないし３のいずれかに記載の画像読み取り装置。
【発明の詳細な説明】
【０００１】
【技術分野】
本願発明は、ファクシミリ装置や各種のスキャナ装置に組み込まれるなどして原稿画像を読み取るのに用いられる画像読み取り装置に関する。
【０００２】
【従来の技術】
従来の画像読み取り装置の一般的な構成を図６に示す。この画像読み取り装置は、カバーガラスと称される平板状の透明板９７をケース９０の上面部に装着したものであり、このケース９０の内部には、複数のＬＥＤ光源９１を搭載した基板９２、複数の結像用レンズを一連に繋げたレンズアレイ９３、および複数の受光素子９４を搭載した基板９５が組み付けられている。上記複数のＬＥＤ光源９１は、透明板９７の表面のライン状の画像読み取り領域Ｓａに対して光を照射できるように、基板９２上に適当な間隔を隔てて一列に並べられている。上記レンズアレイ９３は、上記ケース９０に形成された溝部９８に嵌入されている。
【０００３】
この画像読み取り装置では、複数のＬＥＤ光源９１から画像読み取り領域Ｓａに向けて照射された光が原稿Ｄによって反射されると、その反射光はレンズアレイ９３の各結像用にレンズによって集束されてから複数の受光素子９４によって受光される。これら複数の受光素子９４はその受光量に見合った出力レベルの画像信号を出力する。したがって、原稿Ｄの画像を１ラインずつつ読み取ることができる。
【０００４】
上記従来の画像読み取り装置では、レンズアレイ９３の上面と透明板９７の裏面との間に隙間Ｓ３が形成されている。従来において、このような構成とされていたのは、原稿Ｄの画像をレンズアレイ９３の各レンズによって受光素子９４上に適切に結像させるには、透明板９７の表面からレンズアレイ９３の上面までの距離Ｌを、レンズの特性に見合った所定の距離に設定する必要があるからである。透明板９７の全体の厚みが非常に大きければ、上記隙間Ｓ３を無くすことが可能となるものの、従来では、部品の低コスト化や軽量化の観点などから、透明板９７としては比較的薄手のものを用いているのが実情であり、上記レンズアレイ９３と透明板９７との間には隙間Ｓ３が必然的に形成されていたのである。
【０００５】
【発明が解決しようとする課題】
しかしながら、上記従来の画像読み取り装置では、次のような不具合を生じていた。
【０００６】
すなわち、上記レンズアレイ９３は撓み変形を生じ易い細長な形状に形成されているために、画像読み取り装置の使用時においてレンズアレイ９３の周辺部に温度変化が生じたときには、図７の仮想線に示すように、レンズアレイ９３が上記隙間Ｓ３の方向へ撓み変形（反り変形）を生じる場合があった。また、画像読み取り装置を組み立てる場合において、上記レンズアレイ９３が溝部９８内に適切に押し込まれない場合には、レンズアレイ９３が上記のように撓み変形を生じたままケース９０内に組み付けられる虞れもあった。その結果、従来では、このようなレンズアレイ９３の変形に起因して、レンズアレイ９３の個々のレンズの位置ずれが生じ、原稿画像を受光素子９４上に適切に結像させることができず、読み取り画像にいわゆるピンぼけを生じてしまう場合があった。
【０００７】
本願発明は、このような事情のもとで考え出されたものであって、レンズアレイの反り変形に起因して読み取り画像の質が悪化する事態を簡易な手段によって適切に防止できるようにすることをその課題としている。
【０００８】
【発明の開示】
上記の課題を解決するため、本願発明では、次の技術的手段を講じている。
【０００９】
本願発明によって提供される画像読み取り装置は、ケースと、このケースに装着された透明板と、この透明板の表面のライン状の画像読み取り領域に光を照射する光源と、上記画像読み取り領域に配置された原稿から反射してくる光を列状に配された複数の受光素子上に集束させて上記原稿の画像を結像させるための複数の結像用レンズを有するレンズアレイとを具備しており、かつこのレンズアレイは、上記ケース内に設けられている溝部に収容されて上記透明板に対向している、画像読み取り装置であって、上記透明板の裏面には、上記レンズアレイを上記溝部の底部方向に押圧可能に上記レンズアレイに当接する凸状部が形成されていることに特徴づけられる。
【００１０】
本願発明では、透明板の凸状部がケースの溝部に収容されているレンズアレイに当接していることによって、上記レンズアレイを上記溝部の底部方向に押圧した状態に維持することができる。したがって、従来とは異なり、上記レンズアレイの周辺部に温度変化が生じた場合であっても、それに起因して上記レンズアレイが安易に反り変形を生じないようにできる。また、画像読み取り装置の組み立てに際して透明板をケースに装着したときには、この透明板の凸状部がレンズアレイに当接することとなってレンズアレイを押圧することができ、レンズアレイが反り変形を生じたままケースに組み付けられることも解消することが可能となる。その結果、本願発明では、レンズアレイの変形に起因して個々の結像用レンズに位置ずれが生じる虞れを無くし、または少なくし、いわゆるピンぼけの少ない質の高い読み取り画像を得ることできる。
【００１１】
また、本願発明では、透明板の凸状部をレンズアレイに当接させているために、透明板の全体の厚みを大きくする必要はなく、凸状部が形成されている箇所を部分的に厚肉にすれば足りる。したがって、透明板の大型化や重量の増大化などを極力抑制することができる。
【００１２】
本願発明の好ましい実施の形態では、上記レンズアレイは、直線状に延びるホルダに上記複数の結像用レンズが列状に並べられて保持された構成を有しているとともに、上記凸状部は、上記透明板の長手方向に直線状に延びて形成されており、かつ上記凸状部の先端の全長域は、上記ホルダの一端面の長手方向に延びる側縁部に当接している。
【００１３】
このような構成によれば、透明板の凸状部とレンズアレイとをレンズアレイの長手方向の長い寸法領域にわたって当接させることができるために、レンズアレイの反り変形を防止するのにより好ましいものとなる。また、レンズアレイと透明板の凸状部との相対的な位置関係を、レンズアレイの長手方向において各所同一な条件に揃えることもできるために、レンズアレイと透明板の凸状部との位置関係の相違に起因して結像用レンズに対する光の入射状況などにバラツキが生じるようなこともないようにできる。したがって、原稿画像を忠実に読み取るのに好都合となる。さらに、透明板の凸状部をレンズアレイのホルダの側縁部に当接させているために、レンズアレイの結像用レンズが上記凸状部によって覆われないようにすることもできる。したがって、原稿から反射してきた光が凸状部を通過したり、あるいは凸状部によって遮られるようなことなく、結像用レンズに直接入射するようにでき、原稿画像をより忠実に読み取ることが可能となる。
【００１４】
本願発明の他の好ましい実施の形態では、上記ケースには、上記透明板が嵌入する開口部が形成されているとともに、上記透明板と上記開口部の周壁部とには、上記透明板が上記レンズアレイから離反する方向へ移動することを規制するように上記透明板を上記ケースに掛止させる１組または複数組の係合手段が設けられている。
【００１５】
このような構成によれば、ケースの開口部に透明板を嵌入させて、１組または複数組の係合手段を利用して透明板をケースに掛止させることにより、ケースに対する透明板の組み付けが簡単に行える。上記係合手段は、透明板がレンズアレイから離反する方向へ移動することを規制するために、たとえばレンズアレイが透明板に向けて反り変形を生じようとする力が発生しても、その力によって上記透明板がレンズアレイから離反する方向に押動されないようにでき、レンズアレイをケースの溝部内に適切に押しつけておくことができる。
【００１６】
本願発明の他の好ましい実施の形態では、上記透明板は、合成樹脂製である。
【００１７】
このような構成によれば、凸状部を有する透明板を樹脂成形によって簡単に形成することができ、また上記透明板に係合手段を形成することも簡単に行える。したがって、透明板の製作を容易にし、その製造コストを安価にすることができる。
【００１８】
本願発明のその他の特徴および利点については、以下の発明の実施の形態の説明から、より明らかになるであろう。
【００１９】
【発明の実施の形態】
以下、本願発明の好ましい実施の形態について、図面を参照しつつ具体的に説明する。
【００２０】
図１は、本願発明に係る画像読み取り装置の一例を示す断面図である。図２は、図３のII−II断面図である。図３は、図１のIII −III 断面図である。図４は、図１のIV−IV断面図である。図５は、図１ないし図４に示す画像読み取り装置の分解斜視図である。
【００２１】
本実施形態の画像読み取り装置Ａは、いわゆる密着型イメージセンサとして構成されたものである。図１において、この画像読み取り装置Ａは、ケース１、透明板２、光反射部材８、レンズアレイ３、光反射防止部材４、基板５、複数のＬＥＤチップ６、複数の受光素子７、および１または複数のアタッチメント５１を具備して構成されている。
【００２２】
上記ケース１は、図５によく表れているように、一定方向に延びた形態を有している。このケース１の材質は、たとえばポリカーボネートに酸化チタンを含有させた合成樹脂であり、その樹脂の色彩は白色である。したがって、このケース１の各所は全て白色である。このケース１の表面の光反射率は、たとえば９０％〜９８％程度の高い値である。このケース１には、このケース１の長手方向に延び、かつこのケース１の厚み方向に貫通した孔部１０が形成されている。この孔部１０は、後述するように照明用光路１６を形成するための部分である。
【００２３】
上記透明板２は、たとえばアクリル系樹脂などの透明度の高い合成樹脂製であり、平面視における全体の概略形状が細長矩形状に形成されている。ただし、この透明板２の長手方向に延びる２つの側縁部２０ａ，２０ｂには、複数の係合用突起２１ａ，２１ｂが適当な間隔を隔てて設けられている。また、この透明板２の裏面（下面）には、下向き状に突出した凸状部２２がこの透明板２の長手方向に延びて一連に形成されている。上記凸状部２２は、後述するようにレンズアレイ３を押しつけるのに利用される。
【００２４】
図１によく表れているように、上記透明板２は、上記孔部１０の上側開口部１０ｂを閉塞するようにこの上側開口部１０ｂに嵌入されている。上記上側開口部１０ｂの周壁部には、複数の係合用突起１１ａと複数の係合用凹部１１ｂとが形成されている。上記複数の係合用突起１１ａ，２１ａ，２１ｂと複数の係合用凹部１１ｂとは、本願発明でいう係合手段の一例に相当するものであり、上記各係合用突起２１ａは、上記各係合用突起１１ａに対してその下方から係合している。一方、各係合用突起２１ｂは、各係合用凹部１１ｂに係入している。これにより、上記透明板２はケース１の上方へ抜け外れないようにケース１に掛止されている。なお、上記透明板２の係合用突起２１ａ，２１ｂが形成されている部分の幅は、上記上側開口部１０ｂの幅よりも大きい。したがって、上記透明板２をケース１に組み付けるときには、ケース１の上部に力を加えてその部分を弾性変形させることによって上記上側開口部１０ｂの幅を広げてから、上記上側開口部１０ｂ内に上記透明板２を嵌入させることとなる。上記透明板２の表面（上面）に対向する位置にはプラテンローラＰが配置され、原稿ＤはこのプラテンローラＰによって上記透明板２の表面に沿って移送される。
【００２５】
上記レンズアレイ３は、直線状に延びる細長なブロック状に形成された合成樹脂製のホルダ３０に結像用の多数のセルフォックレンズ３１を列状に並べて保持させたものである。このレンズアレイ３は、上記ケース１に形成された上面開口状の溝部１２に嵌め込まれて上記透明板２の下方に配置されている。このレンズアレイ３の上面には、上記透明板２の凸状部２２が当接している。これにより、上記レンズアレイ３は、上方へ浮き上がらないように下方へ押しつけられている。ただし、上記凸状部２２は、セルフォックレンズ３１を覆い隠さないように、ホルダ３０の上面のうち、このホルダ３０の長手方向に延びる一側縁部に対してのみ当接している。また、図４によく表れているように、上記凸状部２２の先端の全長域は、ホルダ３０の長手方向の両端部を除く略全長域に対して一連に当接している。図１において、上記透明板２の表面のうち、上記レンズアレイ３の直上領域が画像読み取り領域Ｓであり、この画像読み取り領域Ｓは上記レンズアレイ３と同方向に延びるライン状の領域である。
【００２６】
上記複数の受光素子７は、光電変換機能を有するものであり、画像読み取り領域Ｓからレンズアレイ３の複数のセルフォックレンズ３１を通過してきた光を受光すると、その受光量に対応した出力レベルの画像信号を出力するものである。これら複数の受光素子７は、上記基板５の上向きの表面に上記基板５の長手方向に沿って列状に並べて実装されている。上記ケース１のレンズアレイ３の装着位置の下方には、レンズアレイ３と同方向に延びる底部開口状の空間室１３が形成されている。上記複数の受光素子７は、基板５がケース１の底面部に組付けられることによって上記空間室１３内に配置されている。上記基板５は、上記アタッチメント５１によって上記ケース１の底部への組付け保持がなされている。上記アタッチメント５１は、ケース１の外側面に形成された凸部１４，１４に掛止されることにより、上記基板５の底面部を常時上方へ押圧するように構成されたものである。
【００２７】
上記光反射防止部材４は、たとえば黒色のＡＢＳ樹脂あるいはポリカーボネイト製であり、その各所の表面は光の反射率が低いものとなっている。この光反射防止部材４は、上記複数の受光素子７の配列長さと略同等またはそれ以上の長さを有しており、その長手方向の一般断面形状は下向きに開口した略コ字状である。この光反射防止部材４は、上記複数の受光素子７の周囲を囲むようにして上記空間室１３に嵌入されている。ただし、この光反射防止部材４には、レンズアレイ３を通過してきた光を複数の受光素子７に向けて進行可能とするスリット４１が設けられている。ケース１に対する光反射防止部材４の取付けは、たとえばこの光反射防止部材４の上面部に複数設けた突起部４０を空間室１３の上部に連設した凹部１５に嵌合させることによって行われている。
【００２８】
上記複数のＬＥＤチップ６は、光源の一例に相当するものであり、上記基板５の表面、すなわち上記基板５の複数の受光素子７が実装されている面と同一面に実装されている。これら複数のＬＥＤチップ６は、主走査方向に延びるライン状の発光領域を形成できるように、基板５の長手方向に所定ピッチで列状に並べられている。
【００２９】
上記基板５は、たとえばセラミック製あるいはエポキシ樹脂製である。この基板５の表面には、上記複数のＬＥＤチップ６や複数の受光素子７への電力供給や各種の信号の入出力を行うための配線パターン（図示略）が形成されており、図５によく表れているように、コネクタ５０を介して外部機器との配線接続が行えるようになっている。図面上は省略しているが、上記基板５の表面のうち、上記複数のＬＥＤチップ６が実装されている周辺領域は、光の反射率が高い白色とされており、それ以外の領域は光の反射率が低い黒色とされている。図１において、空間室１３に対向する基板５の表面部分は黒色領域である。
【００３０】
上記光反射部材８は、上記ケース１と同様に、たとえばポリカーボネートに酸化チタンを含有させた白色の樹脂製であり、各部の表面は光の反射率が高い白色面となっている。図５によく表れているように、この光反射部材８の長手方向両端部には、この光反射部材８が延びる方向と直交する方向に突出した側壁部８０，８０が形成されている。上記光反射部材８は上記ケース１の孔部１０内に収容されており、図２によく表れているように、上記光反射部材８の長手方向端部の下部８ａがケース１の孔部１０の長手方向両端の下部に設けられた狭幅部分１０ａに嵌入することによって上記光反射部材８の位置決めが図られている。
【００３１】
この画像読み取り装置Ａでは、上記ケース１の孔部１０のうち、上記光反射部材８が収容された残余の空間部が照明用光路１６とされている。図１において、レンズアレイ３の上面とその直上に位置する透明板２の裏面との間の空間領域も、照明用光路１６の一部とされている。上記照明用光路１６のケース１の長手方向に延びる壁面１６ａ，１６ｂは、上記光反射部材８の一側面と上記孔部１０の一側壁面とによって形成されている。この照明用光路１６の下部に上記複数のＬＥＤチップ６が配置されている。この照明用光路１６は、複数のＬＥＤチップ６から発せられた光を画像読み取り領域Ｓに導くための部分であるため、この照明用光路１６の壁面１６ａ，１６ｂは、複数のＬＥＤチップ６から発せられた光を反射させることによって画像読み取り領域Ｓに向けて進行させることができるように少なくともそれらの一部は傾斜面とされている。上記壁面１６ａ，１６ｂは、ともに光反射率が高い白色面のままである。上記照明用光路１６に対向する基板５の表面領域も白色である。
【００３２】
図３によく表れているように、上記照明用光路１６の長手方向両端部は、上記光反射部材８の各側壁部８０の一側面８１と、この一側面８１と略面一状に形成されたケース１の壁面１７とによって規定されている。これらの面８１，１７も、光の反射率が高い白色面である。図２および図４によく表れているように、上記光反射部材８の各側壁部８０の先端部８０ａは、レンズアレイ３の長手方向端部と透明板２の長手方向端部との間に進入しており、レンズアレイ３の長手方向両端部を下方へ押さえつけている。これは、レンズアレイ３を下方へ押さえつける透明板２の凸状部２２を補助する役割を果たすこととなる。また、このように上記各側壁部８０の先端部８０ａがレンズアレイ３の上方に配置されていることにより、上記先端部８０ａの一側面８１ａは、上記レンズアレイ３と透明板２との間において照明用光路１６に対面している。
【００３３】
次に、上記画像読み取り装置Ａの作用について説明する。
【００３４】
まず、図１において、複数のＬＥＤチップ６から発せられた光のうち、その一部は照明用光路１６内を画像読み取り領域Ｓに向けて直接進行する。また、それ以外の大部分の光は、照明用光路１６の長手方向に延びる白色の壁面１６ａ，１６ｂによって高い反射率で反射されながら画像読み取り領域Ｓに効率良く照射される。一方、図３に示すように、上記複数のＬＥＤチップ６から発せられる光は照明用光路１６の長手方向にも広がりながら進行する。照明用光路１６の長手方向両端部に向けて進行した光は、光反射部材８の側壁部８０，８０の白色の側面８１，８１によって高い反射率で反射され、その反射光の一部は画像読み取り領域Ｓに到達する。この場合、上記側面８１，８１の上部および上部近傍で反射された光の多くは、画像読み取り領域Ｓの長手方向両端部に向けて進行する。とくに、図２および図４に示したように、上記各側壁部８０の先端部８０ａの側面８１ａは、レンズアレイ３よりも上方に位置して画像読み取り領域Ｓに接近しているために、上記側面８１ａに到達した光は画像読み取り領域Ｓの長手方向端部に向けて効率良く反射される。したがって、画像読み取り領域Ｓの長手方向両端部への光の照射量を増やすことができる。一般に、線状に光を発する光源を用いてライン状の画像読み取り領域に光を照射すると、画像読み取り領域の長手方向端部への照射光量が長手方向中央部の照射光量よりもかなり少なくなる傾向が強い。ところが、この画像読み取り装置Ａでは、そのような不具合を解消し、画像読み取り領域Ｓの長手方向各所への照射光量の均一化を図ることが可能となる。
【００３５】
上記画像読み取り装置Ａでは、透明板２の下面には光反射部材８の上部によって光の照射が防止された遮光領域Ｌａが形成されている。この遮光領域Ｌａは、透明板２の各部のうち、画像読み取り領域Ｓからかなり離れた部分に光が無駄に照射されることを防止する役割を果たす。したがって、画像読み取り領域Ｓへの光の照射効率をより高めることが可能となる。
【００３６】
上記画像読み取り領域Ｓに進行した光は、この画像読み取り領域Ｓに位置する原稿Ｄの表面によって反射され、その後レンズアレイ３の各セルフォックレンズ３１を透過して空間室１３内に進行してから複数の受光素子７によって受光される。上記各セルフォックレンズ３１は透明板２の凸状部２２によって覆われていないために、上記原稿Ｄからの反射光については、透明板２の凸状部２２の影響を受けないようにして、各セルフォックレンズ３１に適切に入射させることができる。
【００３７】
また、上記凸状部２２はレンズアレイ３に対してその長手方向に一連に当接しており、レンズアレイ３と凸状部２２との相対的な位置関係は、レンズアレイ３の長手方向各所において一様である。このため、レンズアレイ３と凸状部２２との位置関係のバラツキに原因して、画像読み取り領域Ｓの照度にバラツキが生じたり、あるいはセルフォックレンズ３１への光の入射状況にバラツキが生じたりするような不具合も生じないようにできる。より具体的には、たとえば上記凸状部２２が断続的に設けられている場合には、凸状部２２が存在する部分と凸状部２２が存在しない部分とでは、照明用光路１６内において画像読み取り領域Ｓに向かう光の進行の仕方が相違するものとなる。また、原稿Ｄから反射した光がセルフォックレンズ３１に入射する条件も相違することとなる。ところが、この画像読み取り装置Ａでは、そのようなことを無くすことができる。
【００３８】
上記複数の受光素子７の周囲は光反射率の低い黒色の光反射防止部材４によって覆われているために、上記複数の受光素子７の周囲において原稿Ｄからの反射光が散乱反射することが抑制される。したがって、各受光素子７に散乱光が入射することも防止することができ、このようなことによっても読み取り画像の質を高めることができる。
【００３９】
上記画像読み取り装置Ａでは、その使用中においてレンズアレイ３の周辺温度に変化が生じ、レンズアレイ３の長手方向中央部が上方へ持ち上がるように反り変形を生じようとしても、このような変形は透明板２の凸状部２２によって適切に防止することができる。上記レンズアレイ３が反り変形を生じようとした場合には、透明板２がこのレンズアレイ３によって上方へ押し上げられる力を受けるが、上記透明板２はケース１の上方への移動が規制された状態にケース１に掛止されているため、上記レンズアレイ３の変形を適切に防止することができる。また、上記画像読み取り装置Ａを組み立てる場合には、レンズアレイ３をケース１の溝部１２に嵌入させている状態において、透明板２をケース１に組み付けるが、この透明板２の組み付け時には、必然的に透明板２の凸状部２２がレンズアレイ３の上面を押圧することとなる。したがって、レンズアレイ３を溝部１２の底部に向けて確実に押し込むことも可能となり、レンズアレイ３が撓んだ状態のままケース１に組み付けられてしまう虞れも解消することができる。したがって、レンズアレイ３の各セルフォックレンズ３１の位置を適正な位置に設定しておくことができ、原稿Ｄの画像を受光素子７上にピンぼけのない状態に適切に結像させることもできる。
【００４０】
本願発明に係る画像読み取り装置の各部の具体的な構成は、上述の実施形態に限定されず、種々に設計変更自在である。
【００４１】
たとえば、上記実施形態では、透明板の凸状部がレンズアレイの結像用レンズを覆わないようにしているが、本願発明はこれに限定されない。本願発明では、たとえば透明板の凸状部が結像用レンズを覆うようにレンズアレイに当接していてもかまわない。透明板の透明度が高い場合において、複数の結像用レンズに対して各所均等な条件で凸状部を当接させた場合であっても、良好な画像読み取りを行うことが可能である。したがって、本願発明では、上記凸状部の具体的な断面形状やサイズもとくに限定されるものではない。また、本願発明では、透明板をケースに装着する手段としては、たとえば接着剤を用いて透明板をケースに接着させる手段を採用してもかまわない。
【００４２】
さらに、上記実施形態では、ケース１を白色の樹脂製として画像読み取り領域への光の照射効率を高めているが、やはり本願発明はこれに限定されず、たとえば従来一般の画像読み取り装置と同様に黒色樹脂製のケースを用いてもよい。本願発明は、光源の構成も複数のＬＥＤチップを用いて構成されたものに限定されず、たとえば冷陰極管など、種々の光源を用いることが可能である。また、レンズアレイとしては、セルフォックレンズを結像用レンズとして用いたものに限らず、たとえば凸レンズを用いたものを採用してもかまわない。
【図面の簡単な説明】
【図１】本願発明に係る画像読み取り装置の一例を示す断面図である。
【図２】図３のII−II断面図である。
【図３】図１のIII −III 断面図である。
【図４】図１のIV−IV断面図である。
【図５】図１ないし図４に示す画像読み取り装置の分解斜視図である。
【図６】従来の画像読み取り装置の一例を示す断面図である。
【図７】図６のＶII−ＶII断面図である。
【符号の説明】
Ａ  画像読み取り装置
Ｓ  画像読み取り領域
Ｄ  原稿
１  ケース
２  透明板
３  レンズアレイ
４  光反射防止部材
５  基板
６  ＬＥＤチップ
７  受光素子
８  光反射部材
１０  孔部
１１ａ  係合用突起
１１ｂ  係合用凹部
１２  溝部
１６  照明用光路
２１ａ，２１ｂ  係合用突起
２２  凸状部
３０  ホルダ
３１  セルフォックレンズ（結像用レンズ）
【図１】
0003727785.tif 000002
【図２】
0003727785.tif 000003
【図３】
0003727785.tif 000004
【図４】
0003727785.tif 000005
【図５】
0003727785.tif 000006
【図６】
0003727785.tif 000007
【図７】
0003727785.tif 000008